(57)【要約】【課題】  現場にて折板を用いた屋根の葺設と同様に葺設が容易に行え、風切音やバタつき、或いは雪の流れの滞りを防止でき、且つ強度の高い雪除け折板及び屋根構造の提供。【解決手段】  相隣接する一方の側縁部が他方の側縁部を挟持する形態で屋根部に複数横並びに連結して葺設する折板と略等しいＶ字状の均一な断面形状に成形され、当該Ｖ字状を呈する凹部の底部及び側部に複数の通水孔を散設してなる雪除け折板。【選択図】      図１
2009243162.tif 000002
【特許請求の範囲】
【請求項１】
相隣接する一方の側縁部が他方の側縁部を挟持する形態で屋根部に複数横並びに連結して葺設する折板と略等しいＶ字状の均一な断面形状に成形され、
当該Ｖ字状を呈する凹部の底部及び側部に複数の通水孔を散設してなる雪除け折板。
【請求項２】
谷溝上に前記請求項１に記載の雪除け折板を敷設する屋根構造において、
複数の折板を、相隣接する一方の折板の側縁部が他方の折板の側縁部を挟持する形態で屋根部の谷溝に向けて傾斜する様に葺設し、
複数の前記雪除け折板を、相隣接する一方の雪除け折板の側縁部が他方の雪除け折板の側縁部を挟持する形態で前記谷溝上に前記通水孔が位置する様に葺設し、
前記折板と雪除け折板との連結部において、各々の端部を重合し、且つ当該端部において相隣接する一方の前記折板及び雪除け折板の側縁部が他方の前記折板及び雪除け折板の側縁部を挟持する構造を有する屋根構造。
【発明の詳細な説明】
【技術分野】
【０００１】
本発明は、外観に優れ、谷溝に雪が溜まらず、且つ施工の手間が少ない折板を用いた屋根構造に関する。
【背景技術】
【０００２】
従来、棟で交わる二つの屋根面を形成するには、各屋根面について各々一連の金属製折板を葺き、縁の切れた部分には、雨水等の浸入措置が施された棟構造（例えば、下記特許文献１参照。）、或いは谷溝へ雨水を誘導する構造（例えば、下記特許文献２参照。）が採用されている。
【０００３】
また、当該構造においては、谷溝や排水パイプに雪やゴミが溜まらない様にする為に、多数の貫通孔が穿設されている板やエキスパンドメタルからなる谷溝カバーを所定の固定具を以って谷溝上に渡し掛けていた。
【０００４】
【特許文献１】実公平７−４６６６２号公報
【特許文献２】特開２００１−９０２８１号公報
【発明の開示】
【発明が解決しようとする課題】
【０００５】
しかしながら、上記谷溝カバーを用いる手法にあっては、固定具を装着する工具を別途必要とする他、屋根に葺かれた折板との一体感がないために、風切音やバタつきが生じ易く、固定領域の境界において雪の谷溝上への流れが滞り、屋上における折板の腐食や水漏れを誘発し易いという問題があった。また、各谷溝カバーが相互に関りあう事無く独立して固定されているために、積雪の多い地域においては、各谷溝カバーに対して個々に比較的高い強度を与える必要があった。
【０００６】
本発明は、上記実情に鑑みてなされたものであって、現場にて折板を用いた屋根の葺設と同様に葺設が容易に行え、風切音やバタつき、或いは雪の流れの滞りを防止でき、且つ強度の高い雪除け折板及び屋根構造の提供を目的とする。
【課題を解決するための手段】
【０００７】
上記課題を解決する為になされた本発明による雪除け折板は、相隣接する一方の側縁部が他方の側縁部をハゼ折等により挟持する形態で屋根部に複数横並びに連結して葺設する折板と略等しいＶ字状の均一な断面形状に成形され、当該Ｖ字状を呈する凹部の底部及び側部に複数の通水孔を略均一な密度で散設してなることを特徴とする。
【０００８】
上記課題を解決する為になされた本発明による屋根構造は、谷溝上に前記請求項１に記載の雪除け折板を敷設する屋根構造において、複数の折板を、相隣接する一方の折板の側縁部が他方の折板の側縁部を挟持する形態で屋根部の谷溝に向けて傾斜する様に葺設し、複数の前記雪除け折板を、相隣接する一方の雪除け折板の側縁部が他方の雪除け折板の側縁部を挟持する形態で前記谷溝上に前記通水孔が位置する様に葺設し、前記折板と雪除け折板との連結部において、各々の端部を重合し、且つ当該端部において相隣接する一方の前記折板及び雪除け折板の側縁部が他方の前記折板及び雪除け折板の側縁部を挟持する構造を有することを特徴とする。
【発明の効果】
【０００９】
本発明による雪除け折板を使用すれば、谷溝上において屋上に葺く折板と共に重合したうえで、隣接する折板の一方の側縁部が他方の側縁部を挟持することにより一体的に連結することができる。その結果、固定具やそれに用いる工具を何等要することなく、折板を葺く為の工具を用いて雪除け折板を付設できるから、工期を短縮することができる。葺設後にあっても、折板と雪除け折板、或いは雪除け折板と雪除け折板との隙間への風の侵入が回避される結果、風切音やバタつき、或いは雪の流れの滞りを防止できる。
【００１０】
また、各折板について谷溝を覆う様に長手方向へ連結された雪除け折板の各々にあっても、隣接する折板の一方の側縁部が他方の側縁部を挟持することにより、その全長に亘って係り合いつつ一体化し、相互に補強作用を及ぼして屋上の谷溝上に葺かれた雪除け折板全体としての強度及び取り付け強度を大幅に高めることができる。
【発明を実施するための最良の形態】
【００１１】
以下、本発明による雪除け折板の実施の形態を、屋根構造の実施の形態と共に、図面に基づき説明する。
【００１２】
図１に示す本発明による雪除け折板の例は、相隣接する一方の側縁部が他方の側縁部を挟持する形態で屋根部に複数横並びに連結して葺設する折板３と略等しいＶ字状の均一な断面形状に成形され、当該Ｖ字状を呈する凹部の底部及び側部に複数の通水孔１を略均一な密度で散設してなるものである。
【００１３】
当該例によれば、図２に示す屋根構造の様に、複数の折板を、隣接する折板の一方の側縁部が他方の折板の側縁部を挟持する形態で屋根部の谷溝（図３及び図５参照。）２に向けて傾斜する様に葺設した屋根構造を構築することができる。
【００１４】
当該屋根構造に用いられる各折板３は、厚さ約０．６ｍｍから１．２ｍｍの短冊状に裁断されたメッキ鋼板であって、その長手方向に沿ってＶ字状の断面が形成される様に曲げ成形したものである。即ち、当該曲げ成形によって、幅方向の左右両側縁部には、全長にわたる鈎部が対となって形成され、それらの間に、底面及び当該底面を挟んで逆ハ字状に傾斜した側面が一対全長にわたって形成される。
【００１５】
一方の側縁部は、外側へ水平に延出して立ち上がり、更に、外側に延出して立ち下がる様に成形されることにより、最端縁に外ハゼ部を有し下向きに開口したコの字状の鈎部（以下、外鈎部４０と記す。）が備わっている。他方の側縁部は、外側へ水平に延出して立ち上がり、更に、内側に延出して折り返すことにより、最端縁に内ハゼ部を有し折板の中央部へ向けて開口したコの字状の鈎部（以下、内鈎部と記す。）が備わっている。
【００１６】
前記内鈎部を外鈎部の開口部へ進入させ、前記外ハゼ部を折り曲げて前記内ハゼ部を外鈎部で挟み込むことにより、多数の隣接する折板が相互に連結し一体的な屋根面を形成することになる。上記外鈎部の立ち上がり後下向きに開口した構造により、隣接する折板間からの雨漏りが防止される。
【００１７】
前記雪除け折板０は、前記折板３と同様の素材から、前記鈎部（外鈎部（外ハゼ部５を含む。）４、及び内鈎部（内ハゼ部７を含む。）６を含む。）、底面８、及び側面９を含む同様の断面形状を有する折板として形成する。必要に応じて、前記外鈎部４の開口幅を前記折板０の外鈎部４０が収まる幅に拡げても良い（図２（Ａ）参照。）。
【００１８】
前記通水孔１は、前記所定の断面形状に曲げ成形を行う前に、前記底面８及び側面９となる領域に複数略均一な密度で散設する。例えば、約４０ｍｍから約６０ｍｍ程度毎に、直径約５ｍｍから約１５ｍｍ程度の貫通孔を穿設すれば良い。
【００１９】
前記雪除け折板０にあっても、前記内鈎部を外鈎部４の開口部へ進入させ、前記外ハゼ部５を折り曲げて、前記内ハゼ部７を含む内鈎部６を外鈎部４で挟み込むことにより、多数の隣接する雪除け折板０が相互に連結し、前記谷溝２の上に一体的な防雪カバーを形成することになる。
【００２０】
前記折板３及び雪除け折板０との連結構造には、前記内鈎部６及び外鈎部４を含む各々の端部を適当な長さ重合させて、施行地域の気候に応じた十分な接合強度が得られる連結領域１０を設定し（図１及び図２参照）、当該連結領域１０において前記雪除け折板０及び折板３の外ハゼ部５が、隣接する雪除け折板０及び折板３の内ハゼ部７を挟持する構造を採る。当該雪除け折板０の葺設作業は、折板３の葺き作業と同時に行うことができ、前記連結領域１０においては、折板のハゼ折（潰し）作業は、雪除け折板のハゼ折作業を伴うこととなる（図２（Ｃ）一点鎖線円内参照。）。
【００２１】
前記連結領域１０となる部分には、前記通水孔を設けたとしても通水機能を奏し得ないので、通水孔１は設けなくとも良く、一方の側から谷溝２に雨水を誘導する（片流れ）場合にあっては、通水孔１群を一方に偏在させて他方を連結領域１０とし（図４参照。）、両側から一の谷溝２へ雨水を誘導する（両流れ）場合にあっては、当該雪除け折板０の長手方向の中央部に通水孔１群を偏在させても良い（図６参照。）。
【００２２】
上記の如く構成された屋根は、複数の折板３が、相隣接する一方の折板３の側縁部が他方の折板３の側縁部を挟持し、複数の前記雪除け折板０が、相隣接する一方の雪除け折板０の側縁部が他方の雪除け折板０の側縁部を挟持し、更に、前記折板３と雪除け折板０との連結領域１０において、各々の端部が重合し、且つ当該端部において相隣接する一方の前記折板３及び雪除け折板０の側縁部が他方の前記折板３及び雪除け折板０の側縁部を併せて挟持する構造を有する。
【００２３】
上記構造により、両流れの場合（図５参照。）にあっては、各雪除け折板０は、その長手方向の両端が屋根に葺かれた折板３に支持され、且つその全長に亘って係り合いつつ屋根全体と一体化し、相互に補強作用を及ぼして屋上の谷溝２上に葺かれた複数の雪除け折板０からなる雪除けカバー全体としての強度及び取り付け強度を得る。片流れの場合（図３参照。）にあっても、雪除け折板０の先端を谷溝２に当接又は近接させることによって、先端の捲り上がりが回避され、前記の如く与えられた強度と相俟って安定した葺設状態を得ることができる。
【００２４】
尚、高い水密性を得る為に、葺設後必要に応じて撥水塗料等を塗布或いは吹き付けを行っても良い。屋根面を構成する複数の折板は、Ｈ型鋼等のフレーム１１上に、屋根に葺かれる複数の折板の配置及び保形を司る支持材であるところのサドル１２を介在して固定され、当該サドル１２によって、折板の保形並びに敷設ピッチの均一化が図られている。
【産業上の利用可能性】
【００２５】
谷溝のオーバーフローによる雨漏り等の少ない屋根付き建造物を速やかに且つ安価に得ることができることから、建築物を提供する分野のみならず、当該建築物を作業場として製品を提供する種々の産業の便宜にも資することとなる。
【図面の簡単な説明】
【００２６】
【図１】本発明による雪除け折板の折板との連結構造の一例を示す斜視図である。
【図２（Ａ）（Ｂ）（Ｃ）】本発明による雪除け折板の折板との連結構造の一例を示す説明図である。
【図３】本発明による雪除け折板を用いた屋根構造の一例を示す断面図である。
【図４（Ａ）（Ｂ）（Ｃ）】本発明による雪除け折板の一例を示す平面図、側面図、及び断面図である。
【図５】本発明による雪除け折板を用いた屋根構造の一例を示す断面図である。
【図６（Ａ）（Ｂ）（Ｃ）】本発明による雪除け折板の一例を示す平面図、側面図、及び断面図である。
【符号の説明】
【００２７】
０  雪除け折板，１  通水孔，２  谷溝，３  折板，
４  外鈎部，５  外ハゼ部，６  内鈎部，７  内ハゼ部，
８  底面，９  側面，
１０  連結領域，１１  フレーム，１２  サドル，４０  外鈎部（折板），
【図１】
2009243162.tif 000003
【図２（Ａ）（Ｂ）（Ｃ）】
2009243162.tif 000004
【図３】
2009243162.tif 000005
【図４（Ａ）（Ｂ）（Ｃ）】
2009243162.tif 000006
【図５】
2009243162.tif 000007
【図６（Ａ）（Ｂ）（Ｃ）】
2009243162.tif 000008